(57)【要約】【課題】ＯＰＣ実行における複数のレーザパワー設定のための計算量を減らし、計算した結果を保持するためのメモリ領域を小さくする。【解決手段】複数の電圧レベルのうちのいずれか１つの電圧レベルを抽出し出力するサンプルホールド回路２１と、ディスク１へデータを記録する際の目標レーザパワーに応じたコマンド値を格納し出力する初期コマンド値保持部２２と、初期コマンド値保持部２２から出力される前記コマンド値に係数制御信号が与えられて任意の値に制御される係数を乗じて変換コマンド値として出力する係数器２３と、前記抽出された電圧レベルと前記変換コマンド値に基づく電圧レベルを比較し、比較結果に基づく出力制御信号を出力する比較回路２４と、前記出力制御信号に基づいて制御された電流を出力する制御電流出力部２５と、を有する自動パワー制御部を複数備える。【選択図】図１
2008123624.tif 000002
【特許請求の範囲】
【請求項１】
入力される電圧信号に含まれる複数の電圧レベルのうちのいずれか１つの電圧レベルを抽出し出力するサンプルホールド回路と、
ディスクへのデータ記録又は前記ディスクからのデータ読み出しを行う際の目標レーザパワーに応じたコマンド値を格納し出力する初期コマンド値保持部と、
前記初期コマンド値保持部から出力される前記コマンド値に係数制御信号を与えられて任意の値に制御される係数を乗じて変換コマンド値として出力する係数器と、
前記抽出された電圧レベルと前記変換コマンド値に基づく電圧レベルを比較し、比較結果に基づく出力制御信号を出力する比較回路と、
前記出力制御信号に基づいて制御された電流を出力する制御電流出力部と、
を有する自動パワー制御部を複数備えることを特徴とするレーザパワー制御装置。
【請求項２】
入力される電圧信号に含まれる複数の電圧レベルのうちのいずれか１つの電圧レベルをそれぞれ抽出し出力する第１、第２、第３のサンプルホールド回路と、
ディスクへのデータ記録又は前記ディスクからのデータ読み出しを行う際の目標レーザパワーに応じたコマンド値を格納し出力する第１、第２、第３の初期コマンド値保持部と、
前記第１、第２、第３の初期コマンド値保持部からそれぞれ出力される前記コマンド値に係数制御信号を与えられて任意の値に制御される係数を乗じて変換コマンド値として出力する第１、第２、第３の係数器と、
前記第１、第２、第３のサンプルホールド回路によりそれぞれ抽出された電圧レベルと前記第１、第２、第３の係数器からそれぞれ出力される変換コマンド値に基づく電圧レベルとを比較し、比較結果に基づく出力制御信号を出力する第１、第２、第３の比較回路と、
前記第１、第２、第３の比較回路からそれぞれ出力される出力制御信号に基づいて制御された電流を出力する第１、第２、第３の制御電流出力部と、
をそれぞれ有する第１、第２、第３の自動パワー制御部を備え、
前記第１のサンプルホールド回路では前記ディスクへのデータ記録時のピークパワーの電圧レベルを抽出し、前記第２のサンプルホールド回路では前記ディスクへのデータ記録時のミドルパワーの電圧レベルを抽出し、前記第３のサンプルホールド回路では前記ディスクからのデータ読み出し時のレーザパワーの電圧レベルを抽出し、前記係数制御信号により前記第３の係数器の係数は変わらず、前記第１及び第２の係数器の係数は同じ値をとりながら同じ比率で変更されることを特徴とするレーザパワー制御装置。
【請求項３】
入力される電圧信号に含まれる複数の電圧レベルのうちのいずれか１つの電圧レベルを抽出し出力するサンプルホールド回路と、
ディスクへデータを記録する際の目標レーザパワーに応じたコマンド値を格納し出力する初期コマンド値保持部と、
前記初期コマンド値保持部から出力される前記コマンド値に係数制御信号が与えられて任意の値に制御される係数を乗じて変換コマンド値として出力する第１の係数器と、
前記抽出された電圧レベルと前記変換コマンド値に基づく電圧レベルを比較し、比較結果に基づく出力制御信号を出力する比較回路と、
前記出力制御信号に基づいて制御された電流を出力する制御電流出力部と、
を有する自動パワー制御部と、
予め設定された所定値の電流を出力する固定電流出力部と、
前記固定電流出力部から出力される電流を前記係数制御信号が与えられて任意の値に制御される係数倍して出力する第２の係数器と、
を有するパワー制御部と、
をそれぞれ少なくとも１つ備えることを特徴とするレーザパワー制御装置。
【請求項４】
レーザを光ディスクに対して照射することによって情報の記録又は再生を行う光ディスク装置であって、
サンプルホールドパルス信号及びストラテジパルス信号を生成し出力するストラテジ生成回路と、
係数制御信号を出力するコントローラと、
複数の電圧レベルからなる電圧信号が入力され、前記サンプルホールドパルス信号に基づき前記複数の電圧レベルのうちのいずれか１つの電圧レベルを抽出し出力するサンプルホールド回路と、前記光ディスクへデータを記録する際の目標レーザパワーに応じたコマンド値を格納し出力する初期コマンド値保持部と、前記初期コマンド値保持部から出力される前記コマンド値に前記係数制御信号により任意の値に制御される係数を乗じて変換コマンド値として出力する係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を含む自動パワー制御部を複数有するレーザパワー制御回路と、
それぞれ前記制御電流出力部から出力される電流を増幅する複数のゲインアンプと、前記ゲインアンプに接続され前記ストラテジパルス信号に基づいてオン・オフ制御される複数のスイッチと、前記スイッチを介して前記ゲインアンプにより増幅された複数の電流が入力され、加算して出力する加算器と、前記加算器から出力される電流に基づくパワーのレーザを前記光ディスクに照射し、反射光の光量を検出し電流信号として出力するレーザ部と、前記電流信号を前記電圧信号に変換して出力する電流電圧変換部と、を有するピックアップヘッドと、
を備えることを特徴とする光ディスク装置。
【請求項５】
レーザを光ディスクに対して照射することによって情報の記録又は再生を行う光ディスク装置であって、
サンプルホールドパルス信号及びストラテジパルス信号を生成し出力するストラテジ生成回路と、
係数制御信号を出力するコントローラと、
複数の電圧レベルからなる電圧信号が入力され、前記サンプルホールドパルス信号に基づき前記複数の電圧レベルのうちのいずれか１つの電圧レベルを抽出し出力するサンプルホールド回路と、前記光ディスクへデータを記録する際の目標レーザパワーに応じたコマンド値を格納し出力する初期コマンド値保持部と、前記初期コマンド値保持部から出力される前記コマンド値に前記制御信号により任意の値に制御される係数を乗じて変換コマンド値として出力する第１の係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を含む自動パワー制御部と、予め設定された所定値の電流を出力する固定電流出力部と、前記固定電流出力部から出力される電流を前記係数制御信号により任意の値に制御される係数倍を行って出力する第２の係数器と、を含むパワー制御部と、をそれぞれ少なくとも１つ有するレーザパワー制御回路と、
それぞれ前記制御電流出力部及び前記第２の係数器から出力される電流を増幅する複数のゲインアンプと、前記ゲインアンプに接続され前記ストラテジパルス信号に基づいてオン・オフ制御される複数のスイッチと、前記スイッチを介して前記ゲインアンプにより増幅された複数の電流が入力され、加算して出力する加算器と、前記加算器から出力される電流に基づくパワーのレーザを前記光ディスクに照射し、反射光の光量を検出し電流信号として出力するレーザ部と、前記電流信号を前記電圧信号に変換して出力する電流電圧変換部と、を有するピックアップヘッドと、
を備えることを特徴とする光ディスク装置。
【発明の詳細な説明】
【技術分野】
【０００１】
本発明は、レーザパワー制御装置及び光ディスク装置に関するものである。
【背景技術】
【０００２】
ＤＶＤ、ＣＤ等の光ディスクに情報を記録する場合、光ディスク装置では最適な記録レーザパワーを決定するためにＯＰＣ（Optimum Power Control：最適パワー制御）が行われている。このＯＰＣは複数の異なるレーザパワーで記録を行い、記録した信号を再生し、再生信号の品質が最良となる最適記録レーザパワーを決定するものである（例えば特許文献１参照）。
【０００３】
上記のような従来の光ディスク装置では、ＯＰＣ実行時における複数の記録レーザパワーは計算により求められるが、そのレーザパワーを出力するためにデバイスに設定されるコマンド値を算出する計算が複雑であり、多大な計算量を必要とする。また、この多大な計算量の計算結果を保持するためのメモリ領域も必要となり、コストが増大する。
【特許文献１】特開２００５−３０２２１０号公報
【発明の開示】
【発明が解決しようとする課題】
【０００４】
本発明は、ＯＰＣ実行における複数のレーザパワー設定のための計算量を減らし、計算した結果を保持するためのメモリ領域を小さくすることでコストを低減することができるレーザパワー制御装置を提供することを目的とする。
【課題を解決するための手段】
【０００５】
本発明の一態様によるレーザパワー制御装置は、入力される電圧信号に含まれる複数の電圧レベルのうちのいずれか１つの電圧レベルを抽出し出力するサンプルホールド回路と、ディスクへのデータ記録又は前記ディスクからのデータ読み出しを行う際の目標レーザパワーに応じたコマンド値を格納し出力する初期コマンド値保持部と、前記初期コマンド値保持部から出力される前記コマンド値に係数制御信号を与えられて任意の値に制御される係数を乗じて変換コマンド値として出力する係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を有する自動パワー制御部を複数備えるものである。
【０００６】
また、本発明の一態様によるレーザパワー制御装置は、入力される電圧信号に含まれる複数の電圧レベルのうちのいずれか１つの電圧レベルをそれぞれ抽出し出力する第１、第２、第３のサンプルホールド回路と、ディスクへのデータ記録又は前記ディスクからのデータ読み出しを行う際の目標レーザパワーに応じたコマンド値を格納し出力する第１、第２、第３の初期コマンド値保持部と、前記第１、第２、第３の初期コマンド値保持部からそれぞれ出力される前記コマンド値に係数制御信号を与えられて任意の値に制御される係数を乗じて変換コマンド値として出力する第１、第２、第３の係数器と、前記第１、第２、第３のサンプルホールド回路によりそれぞれ抽出された電圧レベルと前記第１、第２、第３の係数器からそれぞれ出力される変換コマンド値に基づく電圧レベルとを比較し、比較結果に基づく出力制御信号を出力する第１、第２、第３の比較回路と、前記第１、第２、第３の比較回路からそれぞれ出力される出力制御信号に基づいて制御された電流を出力する第１、第２、第３の制御電流出力部と、をそれぞれ有する第１、第２、第３の自動パワー制御部を備え、前記第１のサンプルホールド回路では前記ディスクへのデータ記録時のピークパワーの電圧レベルを抽出し、前記第２のサンプルホールド回路では前記ディスクへのデータ記録時のミドルパワーの電圧レベルを抽出し、前記第３のサンプルホールド回路では前記ディスクからのデータ読み出し時のレーザパワーの電圧レベルを抽出し、前記係数制御信号により前記第３の係数器の係数は変わらず、前記第１及び第２の係数器の係数は同じ値をとりながら同じ比率で変更されるものである。
【０００７】
また、本発明の一態様によるレーザパワー制御装置は、入力される電圧信号に含まれる複数の電圧レベルのうちのいずれか１つの電圧レベルを抽出し出力するサンプルホールド回路と、ディスクへデータを記録する際の目標レーザパワーに応じたコマンド値を格納し出力する初期コマンド値保持部と、前記初期コマンド値保持部から出力される前記コマンド値に係数制御信号が与えられて任意の値に制御される係数を乗じて変換コマンド値として出力する第１の係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を有する自動パワー制御部と、予め設定された所定値の電流を出力する固定電流出力部と、前記固定電流出力部から出力される電流を前記係数制御信号が与えられて任意の値に制御される係数倍して出力する第２の係数器と、を有するパワー制御部と、をそれぞれ少なくとも１つ備えるものである。
【０００８】
本発明の一態様による光ディスク装置は、レーザを光ディスクに対して照射することによって情報の記録又は再生を行う光ディスク装置であって、サンプルホールドパルス信号及びストラテジパルス信号を生成し出力するストラテジ生成回路と、係数制御信号を出力するコントローラと、複数の電圧レベルからなる電圧信号が入力され、前記サンプルホールドパルス信号に基づき前記複数の電圧レベルのうちのいずれか１つの電圧レベルを抽出し出力するサンプルホールド回路と、前記光ディスクへデータを記録する際の目標レーザパワーに応じたコマンド値を格納し出力する初期コマンド値保持部と、前記初期コマンド値保持部から出力される前記コマンド値に前記係数制御信号により任意の値に制御される係数を乗じて変換コマンド値として出力する係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を含む自動パワー制御部を複数有するレーザパワー制御回路と、それぞれ前記制御電流出力部から出力される電流を増幅する複数のゲインアンプと、前記ゲインアンプに接続され前記ストラテジパルス信号に基づいてオン・オフ制御される複数のスイッチと、前記スイッチを介して前記ゲインアンプにより増幅された複数の電流が入力され、加算して出力する加算器と、前記加算器から出力される電流に基づくパワーのレーザを前記光ディスクに照射し、反射光の光量を検出し電流信号として出力するレーザ部と、前記電流信号を前記電圧信号に変換して出力する電流電圧変換部と、を有するピックアップヘッドと、を備えるものである。
【０００９】
また、本発明の一態様による光ディスク装置は、レーザを光ディスクに対して照射することによって情報の記録又は再生を行う光ディスク装置であって、サンプルホールドパルス信号及びストラテジパルス信号を生成し出力するストラテジ生成回路と、係数制御信号を出力するコントローラと、複数の電圧レベルからなる電圧信号が入力され、前記サンプルホールドパルス信号に基づき前記複数の電圧レベルのうちのいずれか１つの電圧レベルを抽出し出力するサンプルホールド回路と、前記光ディスクへデータを記録する際の目標レーザパワーに応じたコマンド値を格納し出力する初期コマンド値保持部と、前記初期コマンド値保持部から出力される前記コマンド値に前記制御信号により任意の値に制御される係数を乗じて変換コマンド値として出力する第１の係数器と、前記抽出された電圧レベルと前記変換コマンド値に基づく電圧レベルを比較し、比較結果に基づく出力制御信号を出力する比較回路と、前記出力制御信号に基づいて制御された電流を出力する制御電流出力部と、を含む自動パワー制御部と、予め設定された所定値の電流を出力する固定電流出力部と、前記固定電流出力部から出力される電流を前記係数制御信号により任意の値に制御される係数倍を行って出力する第２の係数器と、を含むパワー制御部と、をそれぞれ少なくとも１つ有するレーザパワー制御回路と、それぞれ前記制御電流出力部及び前記第２の係数器から出力される電流を増幅する複数のゲインアンプと、前記ゲインアンプに接続され前記ストラテジパルス信号に基づいてオン・オフ制御される複数のスイッチと、前記スイッチを介して前記ゲインアンプにより増幅された複数の電流が入力され、加算して出力する加算器と、前記加算器から出力される電流に基づくパワーのレーザを前記光ディスクに照射し、反射光の光量を検出し電流信号として出力するレーザ部と、前記電流信号を前記電圧信号に変換して出力する電流電圧変換部と、を有するピックアップヘッドと、を備えるものである。
【発明の効果】
【００１０】
本発明によれば、ＯＰＣ実行における複数のレーザパワー設定のための計算量を減らし、メモリ領域を小さくしてコストを低減することができる。
【発明を実施するための最良の形態】
【００１１】
以下、本発明にかかる光ディスク装置の実施の形態を図面に基づいて説明する。
【００１２】
（第１の実施形態）図１に本発明の第１の実施形態に係る光ディスク記録再生装置の概略構成を示す。レーザパワー制御回路１２は記録及び再生時のレーザパワーを所望の値にするようにピックアップヘッド２に駆動電流を出力する。ストラテジ生成回路１３はレーザ制御回路１２にサンプルホールド（Ｓ／Ｈ）パルス信号を出力し、ピックアップヘッド２へストラテジパルス信号を出力する。
【００１３】
ピックアップヘッド２は図示しない光源（レーザダイオード）及び光検出器等を備え、駆動電流に応じた強度のレーザ光を光ディスク１に照射する。レーザ光の照射によって光ディスク１へのデータの記録が行われる。また、照射されたレーザ光の光ディスク１からの反射光によりデータの再生が行われる。反射光は前記光検出器により光量検出され電流信号に変換され出力される。
【００１４】
この電流信号はゲインアンプ５で所望のレベルに増幅され、ＲＦ信号生成回路６及びエラー信号生成回路１０へ出力される。
【００１５】
ＲＦ信号生成回路６は増幅された信号に光検出器出力を加算し、記録データの変調信号であるＲＦ信号を生成し、出力する。ＲＦ信号はＲＦ二値化回路７でデータスライスされＲＦデータとして出力される。このＲＦデータはＰＬＬ制御回路８でＰＬＬ（Phase Locked Loop）処理され、再生クロックが抽出される。
【００１６】
データ復調回路９では二値化されたＲＦデータ及び再生クロックに基づいて同期保護、データ復調等が行われる。
【００１７】
エラー信号生成回路１０は光検出器出力からフォーカスエラー信号やトラッキングエラー信号等のエラー信号を生成する。これらのエラー信号はサーボ処理回路１１でフィルタ演算処理され、この処理結果に基づいて、光ディスク１のデータを安定的に読み出すためのピックアップヘッド２のレンズ（図示しない）、スピンドルモータ４及び送りモータ３の駆動に用いられるサーボ信号が生成、出力される。
【００１８】
ゲインアンプ５、ＲＦ信号生成回路６、ＲＦ二値化回路７、ＰＬＬ制御回路８、データ復調回路９、エラー信号生成回路１０、サーボ処理回路１１、レーザパワー制御回路１２、ストラテジ生成回路１３はマイコン等のコントローラ１４により動作制御が行われる。
【００１９】
レーザパワー制御回路１２の構成について説明する。図２にレーザパワー制御回路１２の構成の一例を示す。レーザパワー制御回路１２は一定の光出力を得るＡＰＣ（Auto Power Control：自動パワー制御）を行うことができる回路であり、サンプルホールド（Ｓ／Ｈ）回路２１ａ〜２１ｃ、初期コマンド値保持部２２ａ〜２２ｃ、係数器２３ａ〜２３ｃ、比較回路２４ａ〜２４ｃ、制御電流出力部２５ａ〜２５ｃを有する。また、レーザパワー制御回路１２はＳ／Ｈ回路２１ａ〜制御電流出力部２５ａ、Ｓ／Ｈ回路２１ｂ〜制御電流出力部２５ｂ及びＳ／Ｈ回路２１ｃ〜制御電流出力部２５ｃの３つのＡＰＣを行う経路（自動パワー制御部）を有する。レーザダイオードは温度、経時変化等で駆動電流に対する出力パワー値が変動する。ＡＰＣはこの変動を補正し、出力パワーが一定になるようにフィードバックをかけることをいう。
【００２０】
Ｉ／Ｖ変換回路２０、ゲインアンプ２６ａ〜２６ｃ、スイッチ２７ａ〜２７ｃ、加算器２８及びレーザ部２９はピックアップヘッド２に含まれる。レーザ部２９には光源（レーザダイオード）及び光検出器が含まれる。
【００２１】
光ディスクからのレーザ反射光がレーザ部２９内の光検出器により光量検出され電流信号に変換される。この電流信号はＩ／Ｖ変換回路２０により電圧信号に変換される。Ｉ／Ｖ変換回路２０はこの電圧信号をフロントモニタ出力としてレーザパワー制御回路１２内のサンプルホールド（Ｓ／Ｈ）回路２１ａ〜２１ｃへ出力する。
【００２２】
Ｓ／Ｈ回路２１ａ〜２１ｃにはそれぞれストラテジ生成回路１３から出力されるＳ／Ｈパルス信号Ｐ１〜Ｐ３が入力され、このＳ／Ｈパルス信号Ｐ１〜Ｐ３に基づいて電圧値を抽出する。
【００２３】
初期コマンド値保持部２２ａ〜２２ｃはＯＰＣを行う際に光ディスク毎に初期パワーレベルの出力制御を行うためのコマンド値１つをコントローラ１４により格納され、出力する。出力された値は係数器２３ａ〜２３ｃにより変換され、変換コマンド値として出力される。係数器２３ａ〜２３ｃはそれぞれ個別に０〜１までの係数値を所望の分解能で設定することができる。係数値はコントローラ１４から出力される係数制御信号により任意の値に制御することができる。初期コマンド値保持部２２ａ〜２２ｃはコマンド値を格納できるものであればよく、例えばレジスタで構成される。係数器２３ａ〜２３ｃは例えばデジタルフィルタである。
【００２４】
Ｓ／Ｈ回路２１ａ〜２１ｃにより抽出された電圧値と係数器２３ａ〜２３ｃから出力される変換コマンド値に基づく電圧値が比較回路２４ａ〜２４ｃにて比較され、比較結果に基づく出力制御信号が出力される。例えば、Ｓ／Ｈ回路２１ａ〜２１ｃにより抽出された電圧値が変換コマンド値に基づく電圧値より小さい場合は、出力を大きくする出力制御信号が出力される。
【００２５】
比較回路２４ａ〜２４ｃから出力される出力制御信号はそれぞれ制御電流出力部２５ａ〜２５ｃに入力される。制御電流出力部２５ａ〜２５ｃは出力制御信号に基づく電流を出力する。
【００２６】
制御電流出力部２５ａ〜２５ｃから出力された電流はそれぞれゲインアンプ２６ａ〜２６ｃで増幅される。増幅された電流はストラテジ生成回路１３から出力されるストラテジパルス信号Ｐ４〜Ｐ６によってオン・オフ制御されるスイッチ２７ａ〜２７ｃを介して加算器２８に入力される。
【００２７】
加算器２８にて足し合わされた電流が駆動信号としてレーザ部２９に出力される。この駆動信号に基づくパワーのレーザが光ディスクに照射される。このようにしてレーザパワーの制御（ＡＰＣ）が行われる。
【００２８】
レーザパワー制御回路１２の動作をＤＶＤ−Ｒの高倍速記録で用いられる“Write Strategy with Non-Multi-pulse”での記録動作を例に説明する。ライトストラテジ（Write Strategy）はディスクに対して歪みのない記録マークを形成するための波高値等の光パルス照射条件のことをいう。
【００２９】
“Write Strategy with Non-Multi-pulse”では記録時（記録マーク形成時）のパワーは図３に示すようになっている。記録パワーをピークパワー、ミドルパワー、ピークパワーの順にすることでディスクに対して歪みのない記録マークを形成することができる。リード時に図３に示すようなタイミングのＳ／Ｈパルス信号Ｐ１〜Ｐ３を入力することでＳ／Ｈ回路２１ａ〜２１ｃにてそれぞれピークパワー、ミドルパワー、リードパワーを抽出することが出来る。
【００３０】
リードパワーはＳ／Ｈ回路２１ｃで抽出され、比較回路２４ｃにより所望の値になるよう制御される。記録パワーは、比較回路２４ａでピークパワーレベル（＝Ｐｏ）を制御し、比較回路２４ｂでミドルパワーレベル（＝Ｐｍ）を制御する。ここでは記録パワー比率ｍ＝Ｐｏ／Ｐｍ＝２．５とする。記録パワー比率ｍとは予め光ディスク記録再生装置が有している値であり、また、光ディスク毎に記録パワー比率ｍの推奨値が設定されている。
【００３１】
スイッチ２７ａ〜２７ｃはディスクへのピークパワーでの記録時はすべてオンする。また、ミドルパワーでの記録時はスイッチ２７ａがオフ、スイッチ２７ｂ及び２７ｃがオンとなる。また、リード（読み出し）時はスイッチ２７ａ及び２７ｂがオフ、スイッチ２７ｃがオンとなる。なお、レーザダイオードの閾値電流はリードパワーと合わせて制御電流出力部２５ｃから出力するようにする。
【００３２】
記録パワーを１セクタ間隔で１０ステップ変化させるＯＰＣを行う場合、まず第１セクタでのピークパワー、ミドルパワー、リードパワーを出力するためのコマンド値（初期コマンド値）を計算で求めて、初期コマンド値保持部２２ａ、２２ｂ、２２ｃに設定する。係数器２３ａの係数値＝係数器２３ｂの係数値＝係数器２３ｃの係数値＝１として、設定するコマンド値はそれぞれピークパワーレベルＰｏ＝４０ｍＷ、ミドルパワーレベルＰｍ＝１６ｍＷ、リードパワーレベルＰｒ＝１ｍＷとなるような値とする。ここでパワーレベルを４０ｍＷとするためのコマンド値を２００、１６ｍＷとするためのコマンド値を８０、１ｍＷとするためのコマンド値を５とすると、初期コマンド値保持部２２ａ、２２ｂ、２２ｃにはそれぞれ２００、８０、５が格納される。
【００３３】
第２セクタでは係数器２３ａの係数値＝係数器２３ｂの係数値＝０．９とする。これにより初期コマンド値保持部２２ａ、２２ｂにはそれぞれコマンド値２００、８０が設定されているが、比較回路２４ａ、２４ｂに入力されるコマンド値（変換コマンド値）は１８０（＝２００×０．９）、７２（＝８０×０．９）となり、それに基づき記録パワーはＰｏ＝３６ｍＷ、Ｐｍ＝１４．４ｍＷに制御される。係数器２３ｃの係数値は１のままである。
【００３４】
第３セクタでは係数器２３ａの係数値＝係数器２３ｂの係数値＝０．８とする。これにより初期コマンド値保持部２２ａ、２２ｂにはそれぞれコマンド値２００、８０が設定されているが、比較回路２４ａ、２４ｂに入力されるコマンド値は１６０（＝２００×０．８）、６４（＝８０×０．８）となり、その変換コマンド値に基づき記録パワーはＰｏ＝３２ｍＷ、Ｐｍ＝１２．８ｍＷに制御される。
【００３５】
図４に示すように、第４セクタ以降も同様に係数器２３ａ、２３ｂの係数値を０．１ずつ下げていき、これを第１０セクタまで繰り返し、記録パワーを１０ステップ分変化させた記録を実行する。この１０種類の記録パワーの中で再生信号品質が最良となるパワーを求めることでＯＰＣを行う。
【００３６】
このように、第１セクタでの設定コマンド値のみを計算で求めて設定し、第２セクタ以降は係数器の係数値を変更するだけで容易に記録パワーを変更、制御することができる。
【００３７】
（比較例）比較例によるレーザパワー制御回路の概略構成を図５に示す。この比較例によるレーザパワー制御回路は固定レベルの電流を出力する制御電流出力部５５ｄがレーザダイオードを発光させる閾値に相当する電流を出力する点、及びコマンド値保持部５２ａ〜５２ｃに係数器が接続されていない点以外は上記第１の実施形態によるレーザパワー制御回路と同様の構成になっている。
【００３８】
記録パワー比率ｍ＝Ｐｏ／Ｐｍ＝２．５とし、この比較例によるレーザパワー制御回路を用いて記録パワーを１セクタ間隔で１０ステップ変化させるＯＰＣを行うとする。その場合、まず、第１セクタでのピークパワーレベルＰｏ＝４０ｍＷ、ミドルパワーレベルＰｍ＝１６ｍＷとなるようなコマンド値保持部４２ａ、４２ｂへの設定コマンド値（コマンド値保持部５２ａへの設定コマンド値は２００、初期コマンド値保持部５２ｂへの設定コマンド値は８０）を計算で求める。
【００３９】
次に、第２セクタでのピークパワーレベルＰｏ＝３６ｍＷ、ミドルパワーレベルＰｍ＝１４．４ｍＷとなるようなコマンド値保持部５２ａ、５２ｂへの設定コマンド値（１８０と７２）を計算で求める。
【００４０】
同様に第３〜第１０セクタそれぞれにおけるコマンド値保持部５２ａ、５２ｂへの設定コマンド値を計算で求める。
【００４１】
このようにして図６に示すような記録パワー設定コマンド値テーブルを算出し、コマンド値保持部５２ａ、５２ｂに格納する。そしてセクタ毎にコマンド値を出力し、記録パワーを制御して、パワーレベルを１０ステップ変化させた記録を実行する。
【００４２】
しかし、この比較例によるレーザパワー制御回路では、第１〜第１０セクタにおけるピークパワー、ミドルパワーそれぞれの設定コマンド値（合計２０個）を算出する必要があり、計算に要する労力が大きい。また、算出した２０個の設定コマンド値を保持するための記憶領域が必要になる。
【００４３】
それに対し、上記第１の実施形態によるレーザパワー制御回路ではセクタ毎に係数器の係数値を変更するため、第１セクタにおけるピークパワーとミドルパワーの設定コマンド値（初期コマンド値）の合計２個のみを算出しており、コマンド値算出に要する計算量を減らすことができる。また、算出する設定コマンド値が２個であるため、これを保持するための記憶領域を小さくすることができる。
【００４４】
このように第１の実施形態におけるレーザパワー制御回路により、ＯＰＣ実行における複数のレーザパワー制御のためのコマンド値算出に要する計算量を減らし、算出したコマンド値を保持するためのメモリ領域を小さくすることができる。
【００４５】
（第２の実施形態）図７に本発明の第２の実施形態によるレーザパワー制御回路の概略構成を示す。本実施形態によるレーザパワー制御回路はＳ／Ｈ回路７１ａ〜制御電流出力部７５ａ及びＳ／Ｈ回路７１ｃ〜制御電流出力部７５ｃの２つのＡＰＣを行う経路（自動パワー制御部）と、制御電流出力部７４ｂ及び係数器７３ｂからなるパワー制御部と、を有する。
【００４６】
上記第１の実施形態では３チャネルの経路（Ｓ／Ｈ回路２１ａ〜スイッチ２７ａの経路、Ｓ／Ｈ回路２１ｂ〜スイッチ２７ｂの経路及びＳ／Ｈ回路２１ｃ〜スイッチ２７ｃの経路）によりＡＰＣを行っていたが、本実施形態ではＡＰＣを行う２チャネルの経路と固定電流を出力する１チャネルの経路でレーザパワーの制御が行われる。
【００４７】
制御電流出力部７５ｂはマイコン等によりコマンドが設定され、固定電流を出力する。出力された電流は係数器７３ｂにより電流値が可変となる。係数器７３ｂの係数値はコントローラから出力される係数制御信号により任意の値に制御できる。ＡＰＣを行う２チャネルの経路（Ｓ／Ｈ回路７１ａ〜スイッチ７７ａの経路及びＳ／Ｈ回路７１ｃ〜スイッチ７７ｃの経路）は上記第１の実施形態におけるＡＰＣを行う経路と同様の構成になっているので説明は省略する。
【００４８】
本実施形態によるレーザパワー制御回路を用いたレーザパワー制御を上記第１の実施形態と同様にＤＶＤ−Ｒの高倍速記録で用いられる“Write Strategy with Non-Multi-pulse”での記録動作を例に説明する。記録パワーのうちミドルパワーレベルＰｍをＳ／Ｈ回路７１ａ〜スイッチ７７ａの経路で制御し、ピークパワーレベルＰｏを制御電流出力部７５ｂ〜スイッチ７７ｂの経路で制御する。また、リードパワーレベルはＳ／Ｈ回路７１ｃ〜スイッチ７７ｃの経路で制御する。記録パワー比率ｍ＝Ｐｏ／Ｐｍ＝２．５とする。
【００４９】
まず、初期コマンド値保持部７２ａ、７２ｃに設定するコマンド値を計算で求めて、設定する。係数器７３ａの係数値＝係数器７３ｂの係数値＝１、ゲインアンプ７６ａ〜７６ｃの変換ゲイン＝１倍とし、それぞれミドルパワーレベルＰｍ＝１６ｍＷ、再生パワーレベル＝１ｍＷとなるようなコマンド値とする。また、制御電流出力部７２ｂはピークパワーレベル＝４０ｍＷを出力するための電流を出力するように設定される。
【００５０】
簡単化のためレーザの出力が１ｍＷとなるためには電流１ｍＡを要し、レーザの閾値電流を４０ｍＡとする。初期コマンド値保持部７２ｃにはリードパワーレベル１ｍＷとなるようなコマンド値が設定される。また、制御電流出力部７５ｃはレーザを１ｍＷ光らせる電流１ｍＡと閾値電流４０ｍＡを合わせた４１ｍＡの電流が出力されるように設定される。リード時はスイッチ７７ａ、７７ｂはオフ、スイッチ７７ｃはオンとなる。
【００５１】
初期コマンド値保持部７２ａにはミドルパワーレベル＝１６ｍＷを出力するためのコマンド値が設定されている。１６ｍＷの出力となるためには１６ｍＡ必要であり、ミドルパワーでの記録時はスイッチ７７ａ及び７７ｃがオンし、スイッチ６７ｂがオフになっているので、制御電流出力部７５ａからは１５ｍＡ（＝１６ｍＡ−１ｍＡ）が出力される。
【００５２】
ピークパワーでの記録時は４０ｍＷを出力する必要があり、それには４０ｍＡが必要である。ピークパワーでの記録時はスイッチ７７ａ〜７７ｃがオンしているので、スイッチ７７ｂを介して加算器７８には２４ｍＡ（＝４０ｍＡ−１５ｍＡ−１ｍＡ）が入力される。つまり制御電流出力部７４ｂは２４ｍＡを一定出力するように設定される。
【００５３】
記録パワーを１セクタ間隔で１０ステップ変化させるＯＰＣを行う場合、第１セクタでは上記記録パワーでディスクへ記録を行う。
【００５４】
次に第２セクタでは係数器７３ａの係数値＝係数器７３ｂの係数値＝０．９とする。これによりミドルパワーでの記録時は出力が１４．４ｍＷとなるように制御され、このとき制御電流出力部７５ａからは１３．４ｍＡ（＝１４．４−１）が出力される。また、ピークパワーでの記録時はスイッチ７７ｂを介して加算器７８には２１．６ｍＡ（＝２４×０．９）が入力される。加算器７８には合計で３６ｍＡ（＝２１．６＋１４．４＋１）が入力され、３６ｍＷでレーザが出力される。
【００５５】
次に第３セクタでは係数器７３ａの係数値＝係数器７３ｂの係数値＝０．８とする。これによりミドルパワーでの記録時は出力が１２．８ｍＷとなるように制御され、このときスイッチ７７ａを介して加算器７８には１１．８ｍＡ（＝１２．８−１）が入力される。また、ピークパワーでの記録時はスイッチ７７ｂを介して加算器７８には１９．２ｍＡ（＝２４×０．８）が入力される。加算器７８には合計で３２ｍＡ（＝１９．２＋１１．８＋１）が入力され、３２ｍＷでレーザが出力される。
【００５６】
図８に示すように、第４セクタ以降も同様に係数器７３ａ、７３ｂの係数値を０．１ずつ下げていき、これを第１０セクタまで繰り返し、記録パワーを１０ステップ分変化させた記録を実行する。これにより、第１セクタでの設定コマンド値のみを計算で求めて設定し、第２セクタ以降は係数器の係数値を変更するだけで容易に記録パワーを変更、制御してＯＰＣを実行することができる。
【００５７】
このように第２の実施形態におけるレーザパワー制御回路により、ＯＰＣ実行における複数のレーザパワー設定のためのコマンド値を算出するために要する計算量を減らし、算出した設定値を保持するためのメモリ領域を小さくしてコストを低減することができる。
【００５８】
（第３の実施形態）図９に本発明の第３の実施形態によるレーザパワー制御回路の概略構成を示す。本実施形態によるレーザパワー制御回路はＡＰＣを行う１チャネルの経路と固定電流を出力する２チャネルの経路を有する。ＡＰＣを行う経路及び固定電流を出力する経路は共に上記第２の実施形態によるレーザ制御回路と同様なので説明を省略する。
【００５９】
本実施形態によるレーザパワー制御回路を用いたレーザパワーの制御を上記実施形態と同様にＤＶＤ−Ｒの高倍速記録で用いられる“Write Strategy with Non-Multi-pulse”での記録動作を例に説明する。記録パワーのうちミドルパワーレベルＰｍを制御電流出力部９５ｂ〜スイッチ９７ｂの経路で制御し、ピークパワーレベルＰｏを制御電流出力部９５ｂ〜スイッチ９７ｂの経路で制御される。また、リードパワーレベルはＳ／Ｈ回路９１〜スイッチ９７ｃの経路でＡＰＣ制御される。記録パワー比率ｍ＝Ｐｏ／Ｐｍ＝２．５とする。
【００６０】
リードパワーレベル＝１ｍＷとなるようなコマンド値を計算で求めて、初期コマンド値保持部９２に設定する。また、係数器９３ａの係数値＝係数器９３ｂの係数値＝１、ゲインアンプ９６ａ〜９６ｃの変換ゲイン＝１倍とし、ピークパワーレベルＰｏ＝４０ｍＷ、ミドルパワーレベルＰｍ＝１６ｍＷとなるような電流値を出力するよう制御電流出力部９５ａ、９５ｂの出力を設定する。また、制御電流出力部９５ｄからはレーザダイオードの閾値電流（固定電流）が出力されるように設定される。
【００６１】
リード時はスイッチ９７ｃ及び９７ｄがオン、スイッチ９７ａ及び９７ｂがオフになる。ミドルパワーでの記録時はスイッチ９７ｂ及び９７ｄがオンし、スイッチ９７ａ及び９７ｃがオフになる。また、ピークパワーでの記録時はスイッチ９７ａ、９７ｂ及び９７ｄがオンし、スイッチ９７ｄがオフになる。
【００６２】
制御電流出力部９５ａ、９５ｂに設定される出力電流値は、光電流変換係数をＳとすると、制御電流出力部９５ａが（４０−１６）／Ｓ、制御電流出力部９５ｂが１６／Ｓとなる。
【００６３】
記録パワーを１セクタ間隔で１０ステップ変更させるＯＰＣを実行する場合、まず第１セクタで係数器９３ａの係数値＝係数器９３ｂの係数値＝１で記録を行う。次に第２セクタで係数器９３ａの係数値＝係数器９３ｂの係数値＝０．９で記録を行い、続いて第３セクタで係数器９３ａの係数値＝係数器９３ｂの係数値＝０．８で記録を行う。以後同様に第１０セクタまで係数器９３ａの係数値及び係数器９３ｂの係数値を０．１ずつ小さくして記録を繰り返す。各セクタでのスイッチ９７ａ、９７ｂを介して加算器９８に入力される電流及び記録パワーは図１０に示されるようになる。図１０でｘは２４／Ｓ＝３ｘ、１６／Ｓ＝２ｘとなる値である。
【００６４】
これにより、制御電流出力部９５ａ、９５ｂの設定値を最初に算出した値のまま変えずに、係数器９３ａ、９３ｂの係数値を同じ比率で変更するだけで、記録パワー比率ｍを維持しつつ記録パワーを変更させた光ディスクへの記録を行うことができる。
【００６５】
このように本発明の第３の実施形態によるレーザパワー制御回路により、ＯＰＣ実行における複数のレーザパワー設定のためのコマンド値算出に要する計算量を減らし、算出した設定コマンド値を保持するためのメモリ領域を小さくしてコストを低減することができる。
【００６６】
上述した実施の形態はいずれも一例であって制限的なものではないと考えられるべきである。例えば、上記実施形態では記録、再生パワーレベルの制御を行う経路は３チャネルであったがそれより多くてもよい。これは記録パワーレベルがミドルパワーとピークパワーの２種類より多いとき等に有用である。また、係数器には１以上の係数値が設定されるようにしても良い。また、係数器はデジタルフィルタよりは精度が落ちるが、オペアンプで構成するようにしてもよい。本発明の技術的範囲は特許請求の範囲によって示され、特許請求の範囲と均等の意味および範囲内でのすべての変更が含まれることが意図される。
【図面の簡単な説明】
【００６７】
【図１】本発明の第１の実施形態による光ディスク装置の概略構成図である。
【図２】同第１の実施形態による光ディスク装置におけるレーザパワー制御回路の概略構成図である。
【図３】同第１の実施形態による光ディスクへのデータ記録時の電圧波形を示す図である。
【図４】同第１の実施形態によるＯＰＣ実行時の係数器による変換後のコマンド値を示す図である。
【図５】比較例によるレーザパワー制御回路の概略構成図である。
【図６】同比較例によるＯＰＣ実行における記憶コマンド値を示す図である。
【図７】本発明の第２の実施形態による光ディスク装置におけるレーザパワー制御回路の概略構成図である。
【図８】同第２の実施形態による制御パワーを示す図である。
【図９】本発明の第３の実施形態による光ディスク装置におけるレーザパワー制御回路の概略構成図である。
【図１０】同第３の実施形態によるＯＰＣ実行時の係数器による変換後の電流値を示す図である。
【符号の説明】
【００６８】
１  光ディスク
２  ピックアップヘッド
３  送りモータ
４  スピンドルモータ
５  ゲインアンプ
６  ＲＦ信号生成回路
７  ＲＦ二値化回路
８  ＰＬＬ制御回路
９  データ復調回路
１０  エラー信号生成回路
１１  サーボ処理回路
１２  レーザパワー制御回路
１３  ストラテジ生成回路
１４  コントローラ
【図１】
2008123624.tif 000003
【図２】
2008123624.tif 000004
【図３】
2008123624.tif 000005
【図４】
2008123624.tif 000006
【図５】
2008123624.tif 000007
【図６】
2008123624.tif 000008
【図７】
2008123624.tif 000009
【図８】
2008123624.tif 000010
【図９】
2008123624.tif 000011
【図１０】
2008123624.tif 000012